(57)【要約】      （修正有）【課題】出射光の切り替えが容易に行える地上型標識灯を提供する。【解決手段】地上型ＬＥＤ標識灯１は、一端側５ａに形成された開口を覆う透光性カバー７および透光性カバー７の内側に設けられた取付け部２５を有する灯体５と、灯体５の周方向に主として光を放射する第１の発光ダイオード１０を有する第１の光源ユニット２と、第１の発光ダイオード１０と異なる色調の光を放射する第２の発光ダイオード１５を有する第２の光源ユニット３と、第１および第２の発光ダイオード１０，１５を選択的に点灯させることが可能な点灯回路４と、点灯回路４に第１および第２の発光ダイオード１０，１５のいずれか一方が点灯するように選択させる切り替え手段６を具備している。【選択図】図１
2010176943.tif 000002
【特許請求の範囲】
【請求項１】
一端側に開口が形成されていて、この開口を覆う透光性カバーおよびこの透光性カバーの内側に設けられた取付け部を有する筒状の灯体と；
この灯体の取付け部に固定されるとともに、主として前記灯体の周方向に光を放射する第１の発光ダイオードおよびこの第１の発光ダイオードを囲み前記第１の発光ダイオードから放射された光を透過する透光性部材を有して構成された第１の光源ユニットと；
前記第１の発光ダイオードと異なる色調の光を放射する第２の発光ダイオードを有し、この第２の発光ダイオードが前記第１の発光ダイオードよりも前記灯体の一端側に配設されて構成された第２の光源ユニットと；
前記灯体に収納され、前記第１および第２の発光ダイオードを選択的に点灯させることが可能な点灯回路と；
前記点灯回路に前記第１および第２の発光ダイオードのいずれか一方が点灯するように選択させる切り替え手段と；
を具備していることを特徴とする地上型ＬＥＤ標識灯。
【請求項２】
切り替え手段は、前記点灯回路に入力される電流値に応じて前記点灯回路に前記第１または第２の発光ダイオードを接続するように構成されていることを特徴とする請求項1記載の地上型ＬＥＤ標識灯。
【発明の詳細な説明】
【技術分野】
【０００１】
本発明は、出射光の光色を切り替えることができる地上型ＬＥＤ標識灯に関する。
【背景技術】
【０００２】
地上型航空標識灯である誘導路灯は、航空機の操縦者に空港の誘導路およびエプロンの縁を認識させるものであり、誘導路に沿って一定間隔で設けられ、例えば青色光を全周に亘って出射している（例えば特許文献１参照。）。この従来技術の航空標識灯は、例えば青色光を発光する発光ダイオード（ＬＥＤ）が基板上に並設され、管制塔や調光制御室等からの階調信号により複数の発光ダイオードの青色発光が制御されるというものである。
【０００３】
一方、滑走路灯は、航空機が離着陸する滑走路の縁に設けられ、地上型標識灯または埋込型標識灯が用いられて白色光を出射している（例えば特許文献２参照。）。この従来技術の航空標識灯（発光装置）は、赤、緑または青の光を放射する半導体素子を有し、これらを交互に配置することにより、可変の白色光を放射することが可能というものである。
【０００４】
ところで、緊急時などにおいては、特に小型の航空機に対して、滑走路に対して平行して敷設されている誘導路を滑走路に使用することが可能である。この場合、誘導路灯から出射される青色光を白色光に切り替えて擬似的な滑走路灯として機能させることで、航空機の操縦者に対して、注意、喚起を促すことができて安全性を高めることができる。
【先行技術文献】
【特許文献】
【０００５】
【特許文献１】特開２０００−１７３３０４号公報（第６頁、第１図）
【特許文献２】特表２０００−５１１３３４号公報（第１６頁、第１１図）
【発明の概要】
【発明が解決しようとする課題】
【０００６】
しかしながら、上記光色の切り替えを行うには、灯器を一括交換するか、または設置状態での分解、部品の変更が必要になるために時間を要するので、切り替え作業が煩雑である。
【０００７】
また、特許文献２に示すように、赤、緑または青の色光を放射する半導体素子を有して航空標識灯を構成すれば、航空標識灯から青色光または白色光を出射させることができるが、複数の異なる発光色の半導体素子を有するので、灯器が大型化するとともに、光色の切り替えのための制御システム等を有するので、システム構成が複雑になり、高価になるという問題がある。
本発明は、出射光の切り替えが容易に行える安価な地上型ＬＥＤ標識灯を提供することを目的とする。
【課題を解決するための手段】
【０００８】
請求項１に記載の地上型ＬＥＤ標識灯の発明は、一端側に開口が形成されていて、この開口を覆う透光性カバーおよびこの透光性カバーの内側に設けられた取付け部を有する筒状の灯体と；この灯体の取付け部に固定されるとともに、主として前記灯体の周方向に光を放射する第１の発光ダイオードおよびこの第１の発光ダイオードを囲み前記第１の発光ダイオードから放射された光を透過する透光性部材を有して構成された第１の光源ユニットと；前記第１の発光ダイオードと異なる色調の光を放射する第２の発光ダイオードを有し、この第２の発光ダイオードが前記第１の発光ダイオードよりも前記灯体の一端側に配設されて構成された第２の光源ユニットと；前記灯体に収納され、前記第１および第２の発光ダイオードを選択的に点灯させることが可能な点灯回路と；前記点灯回路に前記第１および第２の発光ダイオードのいずれか一方が点灯するように選択させる切り替え手段と；を具備していることを特徴とする。
本発明および以下の発明において、特に言及しない限り、各構成は以下による。
第１および第２の発光ダイオードは、それぞれ１個であってもよく、複数個であってもよい。
【０００９】
第２の光源ユニットは、第２の発光ダイオードから放射された光を主として灯体の周方向に出射するものであってもよく、主として灯体の上方側などの所望の方向に出射するものであってもよい。
【００１０】
「透光性部材が第１の発光ダイオードを囲み」とは、透光性部材が第１の発光ダイオードを密閉または略密閉するように包囲しているものであってもよく、第１の発光ダイオードの周りに透光性部材が部分的に位置するものであってもよい。そして、透光性部材は、第２の発光ダイオードを直接的に配設していてもよく、他の部材を介して配設していてもよい。
【００１１】
また、透光性部材は、第１の発光ダイオードから放射された光の光路が大きく変更しないように形成されていればよく、灯体の周方向に放射された光に対しては、その光をさらに当該周方向側に屈折させて透過するように形成されていることが好ましい。
【００１２】
灯体の取付け部は、第１の光源ユニットを直接的に取付けて固定してもよく、他の部材を介して取付け、固定してもよい。また、第２の光源ユニットは、灯体の取付け部に取り付けられてもよく、第１の光源ユニットに取り付けられてもよい。また、第１の光源ユニットは、灯体の取付け部に取り付けられた第２の光源ユニットに固定されてもよい。
【００１３】
点灯回路は、第１の発光ダイオードまたは第２の発光ダイオードがそれぞれ定格出力または所望の出力をするように、第１または第２の発光ダイオードの接続に応じて、第１または第２の発光ダイオードに流れる電流を調整可能に形成されてもよい。
【００１４】
切り替え手段は、点灯回路と第１または第２の発光ダイオードとの接続をリレーやスイッチなどを用いて機械的に接続してもよく、トランジスタなどの半導体素子を用いて電気的に接続してもよい。
【００１５】
本発明によれば、切り替え手段により、点灯回路は、第１の発光ダイオードまたは第２の発光ダイオードのいずれか一方に選択的に接続され、当該一方の発光ダイオードを選択的に点灯させる。第１の発光ダイオードは、主として第１の光源ユニット（灯体）の周方向に光を放射するので、第１の発光ダイオードから放射された光は、第２の光源ユニットにより遮られる光量が少なく、第１の光源ユニットの透光性部材および灯体の透光性カバーを通過して灯体の外方に出射される。また、第２の発光ダイオードから放射された光は、透光性カバーを通過して灯体の外方に出射される。そして、第１および第２の発光ダイオードから放射される色調の光が異なるので、第１または第２の発光ダイオードを選択して点灯させることにより、透光性カバーから異なる色調の光が出射される。すなわち、切り替え手段により、出射光の光色の切り替えが容易に行える。
【００１６】
請求項２に記載の地上型ＬＥＤ標識灯の発明は、請求項1記載の地上型ＬＥＤ標識灯の発明において、切り替え手段は、前記点灯回路に入力される電流値に応じて前記点灯回路に前記第１または第２の発光ダイオードを接続するように構成されていることを特徴とする。
【００１７】
本発明によれば、点灯回路に入力する電流値を可変させることにより、切り替え手段が点灯回路に第１の発光ダイオードまたは第２の発光ダイオードを接続する。すなわち、点灯回路に入力する電流値に応じて、出射光の光色が自動的に切り替わる。
【発明の効果】
【００１８】
請求項１の発明によれば、主として灯体の周方向に光を放射する第１の発光ダイオードおよび第１の発光ダイオードから放射された光を透過する透光性部材を有する第１の光源ユニットと、第１の発光ダイオードと異なる色調の光を放射する第２の発光ダイオードを有する第２の光源ユニットと、点灯回路に第１および第２の発光ダイオードのいずれか一方が点灯するように選択させる切り替え手段とを有してなる簡易な構成であるので、出射光の光色の切り替えが容易に行える地上型ＬＥＤ標識灯を安価に形成することができる。
【００１９】
請求項２の発明によれば、点灯回路に入力する電流値に応じて、切り替え手段が点灯回路に第１の発光ダイオードまたは第２の発光ダイオードを接続することにより、出射光の光色の切り替えが自動的に行えるので、地上型ＬＥＤ標識灯の出射光の光色の切り替えを迅速に行うことができる。
【図面の簡単な説明】
【００２０】
【図１】本発明の実施例１を示す地上型ＬＥＤ標識灯の概略側断面図。
【図２】同じく、灯体の部分拡大図。
【図３】同じく、点灯回路のブロック図。
【図４】同じく、点灯回路の回路図。
【図５】同じく、青色発光ダイオードの配光特性図。
【図６】同じく、地上型ＬＥＤ標識灯の青色光の配光図。
【図７】同じく、白色発光ダイオードの配光特性図。
【図８】本発明の実施例２を示す地上型ＬＥＤ標識灯の概略側断面図。
【図９】同じく、点灯回路の回路図。
【発明を実施するための形態】
【００２１】
以下、本発明の一実施の形態について、図面を参照して説明する。
【００２２】
本発明の地上型ＬＥＤ標識灯は、異なる色調の光を放射する第１および第２の発光ダイオードを有し、第１および第２の発光ダイオードが点灯回路および切り替え手段により選択的に点灯されるものである。
【実施例１】
【００２３】
図１ないし図７は、本発明の実施例１を示し、図１は地上型ＬＥＤ標識灯の概略側断面図、図２は灯体の部分拡大図、図３は点灯回路のブロック図、図４は点灯回路の回路図、図５は青色発光ダイオードの配光特性図、図６は地上型ＬＥＤ標識灯の青色光の配光図、図７は白色発光ダイオードの配光特性図である。
【００２４】
図１において、地上型ＬＥＤ標識灯１は、地上型航空標識灯であり、第１の光源ユニット２、第２の光源ユニット３、点灯回路４、灯体５、切り替え手段としての切替えスイッチ６および透光性カバーとしての保護カバー７を有して構成されている。そして、地上型ＬＥＤ標識灯１は、灯体５が可折接手８に固定され、第１の光源ユニット２または第２の光源ユニット３から放射された光を灯体５の全周方向を出射するものである。
【００２５】
図２において、第１の光源ユニット２は、第１の基板９、第１の発光ダイオード１０および透光性部材１１を有して構成されている。第１の基板９は、例えばアルミニウム（Ａｌ）などの伝熱性の良好な金属板により円形状に形成されている。そして、灯体５の一端側５ａに形成されている開口５ｃに配設されている土台１２に貼着により固定されている。
【００２６】
第１の発光ダイオード１０は、１個が第１の基板９に実装され、青色光を放射し、レンズ１３を具備する構造に形成されている。また、第１の発光ダイオード１０は、灯体３の一端側開口５ｃの中心線上（中心上）に位置している。これにより、第１の発光ダイオード１０は、図５に示すように、主として灯体５の一端側開口５ｃの垂直方向（図５中、９０度）に対して周方向に光を放射する。そして、第１の発光ダイオード１０は、灯体５の内部に配設されている点灯回路４に図示しないリード線により接続され、点灯回路４から給電されて点灯する。
【００２７】
透光性部材１１は、例えばアクリル樹脂からなり、鍔部１１ａを有し、内面１１ｂが略ドーム状に形成され、上面１１ｃが平坦面に形成された有底の略円筒体である。そして、第１の基板９を包囲するようにして、鍔部１１ａが土台１２に設置され、鍔部１１ａにおいて土台１２に図示しないねじによりねじ止めされている。また、透光性部材１１は、灯体５の一端側開口５ｃの中心線上（中心上）に回転対称に配設されている。
【００２８】
そして、透光性部材１１は、第１の発光ダイオード１０から放射された光（青色光）を透過するとともに、プリズムとして機能し、図１に示すように、灯体５の周方向に放射された光をさらに周方向側に屈折させ、上面１１ｃ側に放射された光を灯体５の上方側に屈折させるものである。透光性部材１１を透過した光は、保護カバー７を通過（透過）して、主として灯体５の周方向側に出射する。図６は、保護カバー７から出射される青色光の配光を示したものであり、青色光の光度（カンデラ）は、空港に設置される誘導路灯の規定値以上となっている。
【００２９】
図２において、第２の光源ユニット３は、第２の基板１４および第２の基板１４に実装された第２の発光ダイオード１５を有して構成されている。第２の基板１４は、例えばアルミニウム（Ａｌ）などの伝熱性の良好な金属板により円形状に形成されている。そして、第２の基板１４は、透光性部材１１の上面１１ｃに固着された円柱体１６に貼着により固定されている。すなわち、第２の基板１４は、透光性部材１１の第１の発光ダイオード１０よりも灯体５の一端側５ａに配設されている。円柱体１６は、例えばアクリル樹脂からなっている。
【００３０】
第２の発光ダイオード１５は、１個が第２の基板１４に実装され、白色光を放射する構造に形成されている。第２の発光ダイオード１５自体は、図７に示すように、灯体５の上方側に白色光を放射するものである。そして、第２の発光ダイオード１５は、第１の発光ダイオード１０と同様に、灯体３の一端側開口５ｃの中心線上（中心上）に位置している。
【００３１】
そして、第２の基板１４には、第１の発光ダイオード１５を包囲するようにして、外形が略ドーム状に形成されたプリズム１７が固着されている。プリズム１７は、頂部側に円錐台状の凹部１７ａを有している。そして、プリズム１７は、図１に示すように、第２の発光ダイオード１５から放射された光（白色光）を主として灯体５の周方向側に屈折させるとともに、一部の光（白色光）を灯体５の上方側に屈折させる。すなわち、プリズム１７を透過した光は、保護カバー７を通過（透過）して、灯体５の周方向側および上方側に出射する。そして、第２の発光ダイオード１５は、点灯回路４に図示しないリード線により接続され、点灯回路４から給電されて点灯する。
【００３２】
点灯回路４は、土台１２に一体に取り付けられた収容箱１８に収納されている。点灯回路４は、図３に示すように、主電源部１９、補助電源部２０、電流検出判定部２１および定電流回路部２２を有して形成されている。主電源部１９、補助電源部２０および電流検出判定部２１のそれぞれの入力端子（図示しない。）は、直列接続されて、地上型ＬＥＤ標識灯１の入力端子２３ａ，２３ｂに接続されている。また、定電流回路部２２の出力端子（図示しない。）は、切替えスイッチ６を介して第１の発光ダイオード１０および第２の発光ダイオード１５に接続されている。
【００３３】
地上型ＬＥＤ標識灯１は、誘導路に沿って等間隔に複数個が設置され、その入力端子２３ａ，２３ｂが直列されて定電流電源（ＣＣＲ）２４に接続されている。定電流電源（ＣＣＲ）２４は、調光タップ切替えにより、６．６Ａ、５．５Ａおよび４．８Ａの交流電流（出力電流）を地上型ＬＥＤ標識灯１に供給する。また、定電流電源（ＣＣＲ）２４は、さらに調光タップ切替えにより、３．４Ａおよび２．８Ａの交流電流も供給可能となっている。
【００３４】
点灯回路４は、入力端子２３ａ，２３ｂに入力される定電流電源（ＣＣＲ）２４からの出力電流に応じて、青色光を放射する第１の発光ダイオード１０の光度比率を変化させるように形成されている。すなわち、定電流電源（ＣＣＲ）２４から６．６Ａの出力電流が供給されると、第１の発光ダイオード１０に３５０ｍＡの定電流を供給して第１の発光ダイオード１０を１００％光度（カンデラ）で点灯させる。同様に、５．５Ａの出力電流が供給されると、第１の発光ダイオード１０に１０５ｍＡの定電流を供給して第１の発光ダイオード１０を３０％光度で点灯させ、４．８Ａの出力電流が供給されると、第１の発光ダイオード１０に３５ｍＡの定電流を供給して第１の発光ダイオード１０を１０％光度で点灯させる。
【００３５】
点灯回路４は、図４に示すように、主電源部１９、補助電源部２０および電流検出判定部２１にそれぞれカレントトランスＣＴ１，ＣＴ２，ＣＴ３を有している。そして、これらのカレントトランスＣＴ１，ＣＴ２，ＣＴ３が直列接続されて入力端子２３ａ，２３ｂ間に接続されている。すなわち、定電流電源（ＣＣＲ）２４から出力された６．６Ａ、５．５Ａおよび４．８Ａの交流電流が主電源部１９、補助電源部２０および電流検出判定部２１にそれぞれ入力される。
【００３６】
主電源部１９は、カレントトランスＣＴ１、整流器ＤＢ１、電解コンデンサＣ１、比較器ＣＰ１および電界効果トランジスタＱ１を有して構成されている。整流器ＤＢ１は、カレントトランスＣＴ１に入力した定電流電源（ＣＣＲ）２４からの交流電流を整流する。この整流した電流がダイオードＤ１を介して電解コンデンサＣ１を充電し、電解コンデンサＣ１の両端間に直流電圧を発生させる。この直流電圧は、第１の発光ダイオード１０または第２の発光ダイオード１５、切替えスイッチ６、定電流回路部２２の電界効果トランジスタＱ２、直列接続された抵抗Ｒ１，Ｒ１ａ，Ｒ１ｂからなる直列回路の両端間に印加される。また、当該直流電圧は、抵抗Ｒ２，Ｒ３で検出されて比較器ＣＰ１の非反転入力端子に入力される。
【００３７】
比較器ＣＰ１の反転入力端子は、抵抗Ｒ４を介して補助電源部２０の定電圧素子ＺＤ１に接続され、この定電圧素子ＺＤ１により形成される定電圧が入力されている。比較器ＣＰ１は、前記直流電圧が当該定電圧を上回ると、Ｈｉｇｈ信号例えばＤＣ５Ｖを出力し、前記直流電圧が当該定電圧以下になると、Ｌｏｗ信号（ＤＣ０Ｖ）を出力する。比較器ＣＰ１の出力電圧は、抵抗Ｒ５，Ｒ６を介して電界効果トランジスタＱ１のゲート、ソース間に印加される。
【００３８】
そして、比較器ＣＰ１からＨｉｇｈ信号が出力されると、電界効果トランジスタＱ１がオンして整流器ＤＢ１の出力間が短絡され、比較器ＣＰ１からＬｏｗ信号が出力されると、電界効果トランジスタＱ１がオフして整流器ＤＢ１の出力間が開放される。これにより、電解コンデンサＣ１の両端間には、補助電源部２０の定電圧素子ＺＤ１により形成される定電圧に応じた所定電圧が発生する。
【００３９】
定電流回路部２２は、電界効果トランジスタＱ２、直列接続された抵抗Ｒ１，Ｒ１ａ，Ｒ１ｂおよび比較器ＣＰ２を有して構成されている。抵抗Ｒ１，Ｒ１ａ，Ｒ１ｂは、第１の発光ダイオード１０または第２の発光ダイオード１５に流れる電流を電圧に変換して検出するものである。当該検出電圧は、抵抗Ｒ７を介して比較器ＣＰ２の反転入力端子に入力される。
【００４０】
そして、カレントトランスＣＴ１〜ＣＴ３に定電流電源（ＣＣＲ）２４からの出力電流６．６Ａが入力されているときには、補助電源部２０の電界効果トランジスタＱ３，Ｑ４により抵抗Ｒ１ａ，Ｒ１ｂのそれぞれの両端間が短絡され、抵抗Ｒ１の両端間電圧が比較器ＣＰ２の反転入力端子に入力される。また、カレントトランスＣＴ１〜ＣＴ３に出力電流５．５Ａが入力されているときには、電界効果トランジスタＱ４により抵抗Ｒ１ｂの両端間が短絡され、抵抗Ｒ１，Ｒ１ａの直列回路の両端間電圧が比較器ＣＰ２の反転入力端子に入力される。また、カレントトランスＣＴ１〜ＣＴ３に出力電流４．８Ａが入力されているときには、抵抗Ｒ１ａ，Ｒ１ｂは短絡されず、抵抗Ｒ１，Ｒ１ａ，Ｒ１ｂの直列回路の両端間電圧が比較器ＣＰ２の反転入力端子に入力される。
【００４１】
そして、比較器ＣＰ２の非反転入力端子は、補助電源部２０の直列接続された可変抵抗ＶＲ１，ＶＲ２，ＶＲ３に接続されている。可変抵抗ＶＲ１，ＶＲ２，ＶＲ３は、抵抗Ｒ８に直列接続され、抵抗Ｒ８を介して定電圧素子ＺＤ１の両端間に接続されている。抵抗Ｒ８、可変抵抗ＶＲ１，ＶＲ２，ＶＲ３は、定電圧素子ＺＤ１により形成される定電圧を分圧する。
【００４２】
そして、カレントトランスＣＴ１〜ＣＴ３に定電流電源（ＣＣＲ）２４からの出力電流６．６Ａが入力されているときには、補助電源部２０の電界効果トランジスタＱ５，Ｑ６により可変抵抗ＶＲ２，ＶＲ３のそれぞれの両端間が短絡され、定電圧素子ＺＤ１により形成される定電圧を抵抗Ｒ８および可変抵抗ＶＲ１で分圧した可変抵抗ＶＲ１の両端間電圧が比較器ＣＰ２の非反転入力端子に入力される。
【００４３】
また、カレントトランスＣＴ１〜ＣＴ３に出力電流５．５Ａが入力されているときには、電界効果トランジスタＱ６により可変抵抗ＶＲ３の両端間が短絡され、定電圧素子ＺＤ１により形成される定電圧を抵抗Ｒ８、可変抵抗ＶＲ１および可変抵抗ＶＲ２で分圧した可変抵抗ＶＲ１、ＶＲ２の直列回路の両端間電圧が比較器ＣＰ２の非反転入力端子に入力される。
【００４４】
また、カレントトランスＣＴ１〜ＣＴ３に出力電流４．８Ａが入力されているときには、可変抵抗ＶＲ２，ＶＲ３は短絡されず、定電圧素子ＺＤ１により形成される定電圧を抵抗Ｒ８、可変抵抗ＶＲ１，ＶＲ２，ＶＲ３で分圧した可変抵抗ＶＲ１、ＶＲ２，ＶＲ３の直列回路の両端間電圧が比較器ＣＰ２の非反転入力端子に入力される。
【００４５】
比較器ＣＰ２は、その出力端子が抵抗Ｒ９、抵抗Ｒ１０および抵抗Ｒ１，Ｒ１ａ，Ｒ１ｂを介して電界効果トランジスタＱ２のゲート、ソース間に接続されている。比較器ＣＰ２は、カレントトランスＣＴ１〜ＣＴ３に出力電流６．６Ａが入力されているときには、抵抗Ｒ１の両端間電圧と可変抵抗ＶＲ１の両端間電圧を比較し、両者の差分が零となるように出力端子から出力する制御電圧（出力電圧）を増減させる。すなわち、可変抵抗ＶＲ１の両端間電圧が抵抗Ｒ１の両端間電圧を上回ると、電界効果トランジスタＱ２のゲートに印加する制御電圧を増加させる。これにより、電界効果トランジスタＱ２の抵抗成分が減少し、抵抗Ｒ１に流れる電流が増加する。また、可変抵抗ＶＲ１の両端間電圧が抵抗Ｒ１の両端間電圧以下になると、電界効果トランジスタＱ２のゲートに印加する制御電圧を低下させる。これにより、電界効果トランジスタＱ２の抵抗成分が増加し、抵抗Ｒ１に流れる電流が減少する。
【００４６】
そして、抵抗Ｒ１の両端間電圧と可変抵抗ＶＲ１の両端間電圧とがほぼ一致するときには、電解コンデンサＣ１の両端間電圧に対して、抵抗Ｒ１に３５０ｍＡが流れるものである。すなわち、第１の発光ダイオード１０は、３５０ｍＡの電流が流れて１００％光度（カンデラ）で点灯するものである。
【００４７】
また、比較器ＣＰ２は、カレントトランスＣＴ１〜ＣＴ３に出力電流５．５Ａが入力されているときには、抵抗Ｒ１，Ｒ１ａの直列回路の両端間電圧と可変抵抗ＶＲ１，ＶＲ２の直列回路の両端間電圧とを比較し、その両者がほぼ一致するように出力端子から出力する制御電圧（出力電圧）を増減させる。すなわち、電解コンデンサＣ１の両端間電圧に対して、抵抗Ｒ１，Ｒ１ａに１０５ｍＡの電流が流れるように電界効果トランジスタＱ２を制御する。これにより、第１の発光ダイオード１０は、１０５ｍＡの電流が流れて３０％光度（カンデラ）で点灯する。
【００４８】
また、比較器ＣＰ２は、カレントトランスＣＴ１〜ＣＴ３に出力電流４．８Ａが入力されているときには、抵抗Ｒ１，Ｒ１ａ，Ｒ１ｂの直列回路の両端間電圧と可変抵抗ＶＲ１，ＶＲ２，ＶＲ３の直列回路の両端間電圧とを比較し、その両者がほぼ一致するように出力端子から出力する制御電圧（出力電圧）を増減させる。すなわち、電解コンデンサＣ１の両端間電圧に対して、抵抗Ｒ１，Ｒ１ａ，Ｒ１ｂに３５ｍＡの電流が流れるように電界効果トランジスタＱ２を制御する。これにより、第１の発光ダイオード１０は、３５ｍＡの電流が流れて１０％光度（カンデラ）で点灯する。
【００４９】
こうして、定電流電源部２２は、定電流電源（ＣＣＲ）２４から供給される出力電流６．６Ａ、５．５Ａおよび４．８Ａに応じて、第１の発光ダイオード１０に３５０ｍＡ、１０５ｍＡおよび３５ｍＡの定電流を供給するように形成されている。そして、定電流電源部２２に第２の発光ダイオード１５が接続されると、第２の発光ダイオード１５に上記同様に、定電流を供給する。
【００５０】
補助電源部２０は、カレントトランスＣＴ２、整流器ＤＢ２、電解コンデンサＣ２、定電圧素子ＺＤ１、比較器ＣＰ３、電界効果トランジスタＱ７、電界効果トランジスタＱ３〜Ｑ６、可変抵抗ＶＲ１〜ＶＲ３１および可変抵抗ＶＲ４〜ＶＲ６を有して構成されている。
【００５１】
整流器ＤＢ２は、カレントトランスＣＴ２に入力した定電流電源（ＣＣＲ）２４からの交流電流を整流する。この整流した電流がダイオードＤ２を介して電解コンデンサＣ２を充電することにより、電解コンデンサＣ２の両端間に直流電圧が発生する。この直流電圧は、比較器ＣＰ３、主電源部１９の比較器ＣＰ１、定電流電源部２２の比較器ＣＰ２および電流検出判定部２１の演算回路ＩＣ１、比較器ＣＰ４，ＣＰ５の駆動電源となっている。
【００５２】
電解コンデンサＣ２の両端間には、抵抗Ｒ１１および定電圧素子ＺＤ１の直列回路が接続されている。そして、定電圧素子ＺＤ１のカソード側は、抵抗Ｒ１２を介して比較器ＣＰ３の反転入力端子に接続され、さらに抵抗Ｒ４を介して主電源部１９の比較器ＣＰ１の反転入力端子に接続されている。すなわち、定電圧素子ＺＤ１により形成される定電圧が抵抗Ｒ１２を介して比較器ＣＰ３の反転入力端子に入力され、抵抗Ｒ４を介して比較器ＣＰ１の反転入力端子に入力されている。また、電解コンデンサＣ２の両端間に発生した直流電圧は、抵抗Ｒ１３および抵抗Ｒ１４により分圧されて比較器ＣＰ３の非反転入力端子に入力されている。
【００５３】
比較器ＣＰ３は、電解コンデンサＣ２の両端間に発生した直流電圧が定電圧素子ＺＤ１により形成された定電圧を上回ると、Ｈｉｇｈ信号例えばＤＣ５Ｖを出力し、前記直流電圧が前記定電圧以下になると、Ｌｏｗ信号（ＤＣ０Ｖ）を出力する。比較器ＣＰ３の出力電圧は、抵抗Ｒ１５，Ｒ１６を介して電界効果トランジスタＱ７のゲート、ソース間に印加される。
【００５４】
そして、比較器ＣＰ３からＨｉｇｈ信号が出力されると、電界効果トランジスタＱ７がオンして整流器ＤＢ２の出力間が短絡され、比較器ＣＰ３からＬｏｗ信号が出力されると、電界効果トランジスタＱ７がオフして整流器ＤＢ２の出力間が開放される。これにより、電解コンデンサＣ２の両端間には、定電圧素子ＺＤ１により形成される定電圧に応じた一定電圧が発生する。
【００５５】
定電圧素子ＺＤ１には、抵抗Ｒ１７および可変抵抗ＶＲ４、ＶＲ５、ＶＲ６の直列回路が接続されている。すなわち、定電圧素子ＺＤ１により形成される定電圧は、抵抗Ｒ１７および可変抵抗ＶＲ４、ＶＲ５、ＶＲ６により分圧されている。
【００５６】
そして、可変抵抗ＶＲ４、ＶＲ５、ＶＲ６の直列回路の両端間電圧が電流検出判定部２１の比較器ＣＰ５の反転入力端子に入力されている。当該両端間電圧は、比較器ＣＰ５の基準電源となっている。また、可変抵抗ＶＲ５，ＶＲ６の直列回路の両端間電圧が比較器ＣＰ４の反転入力端子に入力されている。当該両端間電圧は、比較器ＣＰ４の基準電源となっている。
【００５７】
また、定電圧素子ＺＤ１には、抵抗Ｒ８および可変抵抗ＶＲ１、ＶＲ２、ＶＲ３の直列回路が接続されている。すなわち、定電圧素子ＺＤ１により形成される定電圧は、抵抗Ｒ８および可変抵抗ＶＲ１、ＶＲ２、ＶＲ３により分圧される。そして、分圧された可変抵抗ＶＲ１、ＶＲ２、ＶＲ３側の電圧が定電流回路部２２の比較器ＣＰ２の非反転入力端子に入力されている。
【００５８】
可変抵抗ＶＲ１、ＶＲ２、ＶＲ３のそれぞれの両端間は、定電流回路部２２において説明したように、カレントトランスＣＴ１〜ＣＴ３に定電流電源（ＣＣＲ）２４から４．８Ａの出力電流が供給されているときには、短絡されない。そして、カレントトランスＣＴ１〜ＣＴ３に５．５Ａの出力電流が供給されるときには、可変抵抗ＶＲ３の両端間が短絡され、カレントトランスＣＴ１〜ＣＴ３に６．６Ａの出力電流が供給されるときには、可変抵抗ＶＲ２，ＶＲ３の直列回路の両端間が短絡される。
【００５９】
可変抵抗ＶＲ３の両端間は、電界効果トランジスタＱ６に接続されている。電界効果トランジスタＱ６のゲート、ソース間には、電流検出判定部２１の比較器ＣＰ４の出力電圧が抵抗Ｒ１８，Ｒ１９を介して印加される。そして、比較器ＣＰ４からＨｉｇｈ信号が出力されたときに電界効果トランジスタＱ６がオンし、可変抵抗ＶＲ３の両端間が短絡される。
【００６０】
また、比較器ＣＰ４の出力端子は、抵抗Ｒ２０，Ｒ２１を介して電界効果トランジスタＱ４のゲート、ソース間に接続されている。電界効果トランジスタＱ４は、定電流電源部２２の抵抗Ｒ１ｂの両端間に接続されており、比較器ＣＰ４から出力されたＨｉｇｈ信号によりオンして、抵抗Ｒ１ｂの両端間を短絡する。すなわち、比較器ＣＰ４からＨｉｇｈ信号が出力されると、可変抵抗ＶＲ３の両端間および抵抗Ｒ１ｂの両端間が同時に短絡される。
【００６１】
そして、可変抵抗ＶＲ２，ＶＲ３の直列回路の両端間は、電界効果トランジスタＱ５に接続されている。電界効果トランジスタＱ５のゲート、ソース間には、電流検出判定部２１の比較器ＣＰ５の出力電圧が抵抗Ｒ２２，Ｒ２３を介して印加される。そして、比較器ＣＰ５からＨｉｇｈ信号が出力されたときに電界効果トランジスタＱ５がオンし、可変抵抗ＶＲ２，ＶＲ３の直列回路の両端間が短絡される。
【００６２】
また、比較器ＣＰ５の出力端子は、抵抗Ｒ２４，Ｒ２５を介して電界効果トランジスタＱ３のゲート、ソース間に接続されている。電界効果トランジスタＱ３は、定電流電源部２２の抵抗Ｒ１ａ，Ｒ１ｂの直列回路の両端間に接続されており、比較器ＣＰ５から出力されたＨｉｇｈ信号によりオンして、抵抗Ｒ１ａ，Ｒ１ｂの直列回路の両端間を短絡する。すなわち、比較器ＣＰ５からＨｉｇｈ信号が出力されると、可変抵抗ＶＲ２，ＶＲ３の直列回路の両端間および抵抗Ｒ１ａ，Ｒ１ｂの直列回路の両端間が同時に短絡される。
【００６３】
このように、補助電源部２０は、比較器ＣＰ１〜ＣＰ５に駆動電源を供給し、比較器ＣＰ１，ＣＰ３に基準電圧を供給するとともに、比較器ＣＰ２，ＣＰ４，ＣＰ５にカレントトランスＣＴ１〜ＣＴ３に供給される定電流電源（ＣＣＲ）２４からの出力電流に応じた基準電源などを供給するように形成されている。
【００６４】
なお、可変抵抗ＶＲ１〜ＶＲ３および可変抵抗ＶＲ４〜ＶＲ６は、比較器ＣＰ２、比較器ＣＰ４および比較器ＣＰ５のそれぞれの非反転入力端子または反転入力端子に入力する基準電圧を微調整するために用いられている。
【００６５】
電流検出判定部２１は、カレントトランスＣＴ３、演算回路ＩＣ１、比較器ＣＰ４および比較器ＣＰ５を有して構成されている。演算回路ＩＣ１は、チップ形成され、カレントトランスＣＴ３に供給された定電流電源（ＣＣＲ）２４からの出力電流がインピーダンス抵抗Ｒ２６を介して入力され、当該出力電流を実効値に演算し、電圧の実効値に変換して出力抵抗Ｒ２７の両端間に出力するように形成されている。当該出力電流の実効値は、抵抗２８を介して比較器ＣＰ４の非反転入力端子に入力され、さらに抵抗Ｒ２９を介して比較器ＣＰ５の非反転入力端子に入力されている。
【００６６】
比較器ＣＰ４は、その反転入力端子に補助電源部２０の可変抵抗ＶＲ５，ＶＲ６の直列回路の両端間電圧が入力されている。ここで、当該両端間電圧は、カレントトランスＣＴ３に供給される定電流電源（ＣＣＲ）２４からの出力電流５．５Ａおよび出力電流４．８Ａの間の出力電流例えば５．１Ａに相当する電圧に設定されている。すなわち、当該両端間電圧が当該５．１Ａに相当する電圧になるように、抵抗Ｒ１７および可変抵抗ＶＲ４〜ＶＲ６の合成抵抗値に対する可変抵抗ＶＲ５，ＶＲ６の合成抵抗値が設定されている。
【００６７】
そして、比較器ＣＰ４は、演算回路ＩＣ１の出力電圧と可変抵抗ＶＲ５，ＶＲ６の直列回路の両端間電圧とを比較し、演算回路ＩＣ１の出力電圧が可変抵抗ＶＲ５，ＶＲ６の直列回路の両端間電圧を上回っているときにＨｉｇｈ信号例えばＤＣ５Ｖを出力する。すなわち、比較器ＣＰ４は、カレントトランスＣＴ３に定電流電源（ＣＣＲ）２４から出力電流５．５Ａまたは６．６Ａが供給されているときにＨｉｇｈ信号を出力し、同じく４．８Ａが供給されているときにＬｏｗ信号（ＤＣ０Ｖ）を出力するものである。
【００６８】
比較器ＣＰ５は、その反転入力端子に補助電源部２０の可変抵抗ＶＲ４，ＶＲ５，ＶＲ６の直列回路の両端間電圧が入力されている。ここで、当該両端間電圧は、カレントトランスＣＴ３に供給される定電流電源（ＣＣＲ）２４からの出力電流６．６Ａおよび出力電流５．５Ａの間の出力電流例えば６．１Ａに相当する電圧に設定されている。すなわち、当該両端間電圧が当該６．１Ａに相当する電圧になるように、抵抗Ｒ１７および可変抵抗ＶＲ４〜ＶＲ６の合成抵抗値に対する可変抵抗ＶＲ４，ＶＲ５，ＶＲ６の合成抵抗値が設定されている。
【００６９】
そして、比較器ＣＰ５は、演算回路ＩＣ１の出力電圧と可変抵抗ＶＲ４，ＶＲ５，ＶＲ６の直列回路の両端間電圧とを比較し、演算回路ＩＣ１の出力電圧が可変抵抗ＶＲ４，ＶＲ５，ＶＲ６の直列回路の両端間電圧を上回っているときにＨｉｇｈ信号例えばＤＣ５Ｖを出力する。すなわち、比較器ＣＰ５は、カレントトランスＣＴ３に定電流電源（ＣＣＲ）２４から出力電流６．６が供給されているときにＨｉｇｈ信号を出力し、同じく５．５Ａまたは４．８Ａが供給されているときにＬｏｗ信号（ＤＣ０Ｖ）を出力するものである。
【００７０】
このように、電流検出判定部２１は、定電流電源（ＣＣＲ）２４からカレントトランスＣＴ３に供給される出力電流の電流値に応じて比較器ＣＰ４および比較器ＣＰ５からＨｉｇｈ信号を出力するように形成されている。すなわち、定電流電源（ＣＣＲ）２４から６．６Ａの出力電流が供給されると、比較器ＣＰ４および比較器ＣＰ５は、それぞれＨｉｇｈ信号を出力する。これにより、補助電源部２０の電界効果トランジスタＱ３〜Ｑ６がオンして、可変抵抗ＶＲ５，ＶＲ６の直列回路の両端間が短絡され、定電流回路部２２の抵抗Ｒ１ａ，Ｒ１ｂの直列回路の両端間が短絡される。
【００７１】
定電流回路部２２の比較器ＣＰ２は、可変抵抗ＶＲ１の両端間電圧と抵抗Ｒ１の両端間電圧がほぼ一致するように電界効果トランジスタＱ２を制御する。これにより、第１の発光ダイオード１０に３５０ｍＡの定電流が流れて、第１の発光ダイオード１０は、１００％光度（カンデラ）で点灯し、青色光を放射する。また、切替えスイッチ６により、第２の発光ダイオード１５が定電流回路部２２に接続されると、第２の発光ダイオード１５に３５０ｍＡの定電流が流れる。第２の発光ダイオード１５は、１００％光度（カンデラ）で点灯し、白色光を放射する。
【００７２】
そして、定電流電源（ＣＣＲ）２４から５．５Ａの出力電流が供給されると、比較器ＣＰ４はＨｉｇｈ信号を出力し、比較器ＣＰ５は、Ｌｏｗ信号を出力する。これにより、補助電源部２０の電界効果トランジスタＱ４，Ｑ６がオンし、電界効果トランジスタＱ３，Ｑ５がオフして、可変抵抗ＶＲ３の両端間が短絡され、定電流回路部２２の抵抗Ｒ１ｂの両端間が短絡される。
【００７３】
定電流回路部２２の比較器ＣＰ２は、可変抵抗ＶＲ１，ＶＲ２の直列回路の両端間電圧と抵抗Ｒ１，Ｒ１ａの直列回路の両端間電圧がほぼ一致するように電界効果トランジスタＱ２を制御する。これにより、第１の発光ダイオード１０に１０５ｍＡの定電流が流れて、第１の発光ダイオード１０は、３０％光度（カンデラ）で点灯する。また、切替えスイッチ６により、第２の発光ダイオード１５が定電流回路部２２に接続されると、第２の発光ダイオード１５に１０５ｍＡの定電流が流れて、第２の発光ダイオード１５は、３０％光度（カンデラ）で点灯する。
【００７４】
そして、定電流電源（ＣＣＲ）２４から４．８Ａの出力電流が供給されると、比較器ＣＰ４および比較器ＣＰ５は、それぞれＬｏｗ信号を出力する。これにより、補助電源部２０の電界効果トランジスタＱ３〜Ｑ６がオフする。
【００７５】
定電流回路部２２の比較器ＣＰ２は、可変抵抗ＶＲ１，ＶＲ２，ＶＲ３の直列回路の両端間電圧と抵抗Ｒ１，Ｒ１ａ，Ｒ１ｂの直列回路の両端間電圧がほぼ一致するように電界効果トランジスタＱ２を制御する。これにより、第１の発光ダイオード１０に３５ｍＡの定電流が流れて、第１の発光ダイオード１０は、１０％光度（カンデラ）で点灯する。また、切替えスイッチ６により、第２の発光ダイオード１５が定電流回路部２２に接続されると、第２の発光ダイオード１５に３５ｍＡの定電流が流れて、第２の発光ダイオード１５は、１０％光度（カンデラ）で点灯する。
【００７６】
図１において、灯体５は、例えばアルミニウム(Ａｌ)からなり、一端側５ａの内側に、取付け部２５を内方に突出する環状座に形成している。取付け部２５には、円盤状の土台１２が図示しないねじにより固定されている。
【００７７】
土台１２は、灯体５の内部に収容するようにして、例えばアルミニウム(Ａｌ)からなる収容箱１８を鋳造により一体に取り付けているとともに、第１および第２の発光ダイオード１０，１５が灯体５の上方側となるようにして第１の光源ユニット２を図示しないねじにより固定している。第２の光源ユニット３は、柱状体１６が透光性部材１１に固着されることにより、第１の光源ユニット２を介して土台１２に固定されている。そして、収納箱１８は、図４に示す電子部品および回路部品などが回路基板に実装された点灯回路４を収納している。
【００７８】
また、灯体５は、その他端側５ｂにおいて、一部が他端側５ｂの内部に挿入された略円筒状の可折接手８に複数個のボルト２６により取り付けられている。可折接手８は、例えばアルミニウム(Ａｌ)からなっている。そして、可折接手８の一端部８ａからは、収納箱１８に配設された入力端子２３ａ，２３ｂに接続されている図示しないコネクタ付きの電源コードが導出されている。可折接手８は、図示しない固定部材を介して地面に固定されており、灯体５に自動車や航空機等が接触したときに折れ曲がり、自動車や航空機等の接触部位の破損などを防止するものである。
【００７９】
灯体５は、複数個のボルト２６を緩めることにより、可折接手８の回りに回動させることができ、また、可折接手８から取り外すことができる。そして、複数個のボルト２６を可折接手８に押し付けることにより、灯体５の他端側５ｂが可折接手８に固定される。
また、灯体５は、その一端側５ａの外面に環状の段部２７が形成されている。段部２７の外周面には、周回方向に亘るネジ部２８が形成されている。
【００８０】
切替えスイッチ６は、その操作部６ａが灯体５の外面に露出するように、灯体５に設けられた図示しない貫通孔に防水パッキンとともに挿入されて、灯体５の外面側において接着材により固定されている。そして、切替えスイッチ６は、第１および第２の光源ユニット２，３と、収納箱１８の収納されている点灯回路４にそれぞれ図示しないリード線により接続されている。そして、手動部６ａの切替え操作により、図４に示すように、第１および第２の発光ダイオード１０，１５のいずれか一方を点灯回路４に接続する。
【００８１】
保護カバー７は、例えばポリカーボネート（ＰＣ）樹脂からなり、図２に示すように、一端側７ａが閉塞された略円筒状に形成されている。そして、他端側７ｂの内周面には、灯体５のネジ部２８に螺合する被ネジ部２９が形成されている。保護カバー７は、その被ネジ部２９が灯体５のネジ部２８に螺合されると、灯体５の一端側５ａに取り付けられて、第１および第２の光源ユニット２，３を内包し、灯体５の一端側開口５ｃを覆うものである。
【００８２】
そして、保護カバー７は、その被ネジ部２９の灯体５のネジ部２８への螺合が解除されると、灯体５の一端側５ａから取り外されるものである。このように、保護カバー７は、灯体５の一端側５ａに着脱可能に取り付けられるものであり、灯体５の一部を構成している。
【００８３】
また、保護カバー７および灯体５の間には、例えばシリコーン樹脂からなり、環状に形成されたパッキン３０が配設されている。パッキン３０は、灯体５の段部２７に挿入され、保護カバー７の被ネジ部２９を灯体５のネジ部２８に螺合するときに押圧され、ネジ部２８および被ネジ部２９の部分より水分が灯体５の内部に侵入しないようにしている。
次に、本発明の実施１の作用について述べる。
【００８４】
通常、切替えスイッチ６は、点灯回路４に第１の光源ユニット２を接続している。定電流電源（ＣＣＲ）２４からの出力電流が電源コードを介して地上型ＬＥＤ標識灯１の入力端子２３ａ，２３ｂに入力すると、点灯回路４が動作する。そして、点灯回路４の制御動作により、第１の光源ユニット２の第１の発光ダイオード１０が点灯する。
【００８５】
第１の発光ダイオード１０は、主として灯体５の全周方向側に青色光を放射し、一部の青色光を灯体５の上方側に放射する。第１の発光ダイオード１０から放射された青色光は、透光性部材１１で屈折される。このとき、透光性部材１１は、図１に示すように、第１の発光ダイオード１０から全周方向側に放射された青色光を灯体５の一端側開口５ｃの中心線から遠ざかる方向に放射光を屈折し、灯体５の上方側に放射された青色光を灯体５の一端側開口５ｃの中心線に近づくように屈折させる。
【００８６】
灯体５の上方側に放射された青色光は、その一部が第２の光源ユニット３の柱状体１６により遮られるが、その残部が柱状体１６の周りの透光性部材１１の上面１１ｃから出射される。そして、透光性部材１１から出射された青色光は、透光性の保護カバー７を通過（透過）して、灯体３の外方側に出射される。
【００８７】
地上型ＬＥＤ標識灯１は、灯体５が地上面に可折接手８を介して取り付けられているので、第１の発光ダイオード１０から全周方向側に放射された青色光により、地上面に対して斜め上方および水平方向に青色光を出射し、灯体５の上方側に放射された青色光により、地上面に対して上方に青色光を出射する。これにより、例えば誘導路を走行している航空機などの操縦者は、地上型ＬＥＤ標識灯１の斜め方向および上方から青色光を視認することができ、走行に対する注意および喚起などが促すことができる。
【００８８】
そして、第１の発光ダイオード１０は、定電流電源（ＣＣＲ）２４から供給される出力電流の電流値に応じて異なる光度比率で点灯する。すなわち、図４において説明したように、第１の発光ダイオード１０は、定電流電源（ＣＣＲ）２４からの出力電流が６．６Ａであると、３５０ｍＡの定電流が流れて１００％光度（カンデラ）で点灯し、同じく５．５Ａであると、１０５ｍＡの定電流が流れて３０％光度で点灯し、同じく４．８Ａであると、３５ｍＡの定電流が流れて１０％光度で点灯する。したがって、昼間や夜間などの時間帯および天候状態などに応じて、定電流電源（ＣＣＲ）２４から地上型ＬＥＤ標識灯１に供給する出力電流の電流値を切り替えることにより、地上型ＬＥＤ標識灯１から出射される青色光の光量が変化し、操縦者に青色光を視認させやすくなるとともに、省電力化を図ることができる。
【００８９】
そして、例えば誘導路を滑走路として使用する緊急時に、切替えスイッチ６の手動部６ａを切替え操作する。これにより、点灯回路４に第１の発光ダイオード１０に替えて第２の光源ユニット３の第２の発光ダイオード１５が接続される。第２の発光ダイオード１５は、点灯回路４の制御動作により点灯し、白色光を放射する。
【００９０】
第２の発光ダイオード１５から放射された白色光は、プリズム１７により、図１に示すように、主として灯体５の全周方向側に出射され、一部が灯体５の上方側に出射される。これにより、例えば誘導路を走行する航空機などの操縦者は、当該白色光を認識することにより、注意、喚起が促されて、離着陸に対する安全性が向上する。
【００９１】
そして、第２の発光ダイオード１５は、第１の発光ダイオード１０と同様に、定電流電源（ＣＣＲ）２４から供給される出力電流の電流値に応じて異なる光度比率で点灯する。したがって、昼間や夜間などの時間帯および天候状態などに応じて、地上型ＬＥＤ標識灯１から出射される白色光の光量を変化させることにより、操縦者に白色光を視認させやすくなるとともに、省電力化を図ることができる。
【００９２】
そして、例えば誘導路を滑走路として使用する緊急事態が解除されたときには、再び、切替えスイッチ６を切り替える。これにより、地上型ＬＥＤ標識灯１から青色光が出射される。
【００９３】
このように、地上型ＬＥＤ標識灯１は、切替えスイッチ６の切替え操作により、青色光および白色光の光色の切り替えが行える簡易な構成であるので、安価に形成することができる。そして、切替えスイッチ６が設けられていることにより、第１および第２の発光ダイオード１０，１５のいずれも、定電流電源（ＣＣＲ）２４から供給される出力電流に応じた光度比率で点灯させることができる。
【００９４】
また、青色光を放射する第１の発光ダイオード１０が主として灯体５の周方向に光を放射するように構成され、白色光を放射する第２の発光ダイオード１５が第１の発光ダイオード１０よりも灯体５の上方側（一端側５ａ）に設けられた構成としているので、保護カバー７の内側（灯体５の一端側５ａ）に第１および第２の光源ユニット２，３をコンパクトに配設することができて、灯体５から青色光および白色光の両方の光を規定値以上の光度（カンデラ）で出力可能となっているものである。
【００９５】
なお、第１および第２の発光ダイオード１０，１５は、互いに異なる色調の光を放射するものであればよく、青色光および白色光に限らず、他の色調の光であってもよい。
【実施例２】
【００９６】
次に、本発明の実施例２について説明する。
【００９７】
図８は、本発明の実施例２を示す地上型ＬＥＤ標識灯の概略側断面図、図９は、同じく点灯回路の回路図である。なお、図１、図２および図４と同一部分には、同一符号を付して説明は省略する。
【００９８】
図８に示す地上型ＬＥＤ標識灯１Ａは、図１に示す地上型ＬＥＤ標識灯１において、切替えスイッチ６を具備せず、点灯回路４Ａに切り替え手段としてのリレー３１を設けたものである。そして、定電流電源（ＣＣＲ）２４からの出力電流の電流値により、第１および第２の発光ダイオード１０，１５の切り替えを行うものである。定電流電源（ＣＣＲ）２４は、４．８Ａよりも小さい出力電流例えば３．４Ａを地上型ＬＥＤ標識灯１Ａに供給するものである。
【００９９】
図９において、点灯回路４Ａは、定電流電源部２２Ａにリレー３１のリレー接点３１ａ，３１ｂ，３１ｃを有している。そして、リレー３１の付勢により常開接点３１ａが共通接点３１ｃに接続されると、第１の発光ダイオード１０が定電流電源部２２Ａに接続され、リレー３１の消勢により常閉接点３１ｂが共通接点３１ｃに接続されると、第２の発光ダイオード１５が定電流電源部２２Ａに接続される。
【０１００】
リレー３１は、電流検出判定部２１Ａに設けられ、そのリレーコイルが電界効果トランジスタＱ８に直列接続されて、補助電源部２０Ａの電解コンデンサＣ２の両端間に接続されている。
【０１０１】
電流検出判定部２１Ａは、切替え手段としての比較器ＣＰ６を有し、比較器ＣＰ４，ＣＰ５と同様に、演算回路ＩＣ１の出力電圧（定電流電源（ＣＣＲ）２４の出力電流の実効値）が抵抗Ｒ３０を介して比較器ＣＰ６の非反転入力端子に入力されている。比較器ＣＰ６は、補助電源部２０Ａの電解コンデンサＣ２から駆動電源が供給されている。
【０１０２】
そして、比較器ＣＰ６の反転入力端子には、補助電源部２０Ａの可変抵抗ＶＲ６の両端間電圧が入力されている。ここで、当該両端間電圧は、定電流電源（ＣＣＲ）２４からの出力電流４．８Ａおよび出力電流３．４Ａの間の出力電流例えば４．１Ａに相当する電圧に設定されている。すなわち、当該両端間電圧が当該４．１Ａに相当する電圧になるように、抵抗Ｒ１７および可変抵抗ＶＲ４〜ＶＲ６の合成抵抗値に対する可変抵抗ＶＲ６の抵抗値が設定されている。
【０１０３】
比較器ＣＰ６は、演算回路ＩＣ１の出力電圧と可変抵抗ＶＲ６の両端間電圧とを比較し、演算回路ＩＣ１の出力電圧が可変抵抗ＶＲの両端間電圧を上回っているときにＨｉｇｈ信号例えばＤＣ５Ｖを出力する。すなわち、比較器ＣＰ６は、カレントトランスＣＴ３に定電流電源（ＣＣＲ）２４から出力電流４．８Ａ、５．５Ａまたは６．６Ａが供給されているときにＨｉｇｈ信号を出力し、同じく３．４Ａが供給されているときにＬｏｗ信号（ＤＣ０Ｖ）を出力するものである。
【０１０４】
比較器ＣＰ６の出力端子は、抵抗Ｒ３１，Ｒ３２を介して電界効果トランジスタＱ８のゲート、ソース間に接続されている。そして、比較器ＣＰ６がＨｉｇｈ信号を出力すると、電界効果トランジスタＱ８がオンし、補助電源部２０Ａの電解コンデンサＣ２からの電流がリレー３１のリレーコイルに流れてリレー３１が付勢する。また、比較器ＣＰ６がＬｏｗ信号を出力すると、電界効果トランジスタＱ８はオフし、リレー３１は消勢するものである。
【０１０５】
リレー３１が付勢すると、定電流回路部２２Ａに設けられた常開接点３１ａが共通接点３１ｃに接続され、第１の発光ダイオード１０が点灯回路４Ａに接続される。また、リレー３１が消勢すると、常閉接点３１ｂが共通接点３１ｃに接続され、第２の発光ダイオード１５が点灯回路４Ａに接続される。すなわち、地上型ＬＥＤ標識灯１Ａは、定電流電源（ＣＣＲ）２４から６．６Ａ、５．５Ａまたは４．８Ａの出力電流が供給されると、点灯回路４Ａに第１の発光ダイオード１０が接続されて青色光を出射し、同じく３．４Ａの出力電流が供給されると、点灯回路４Ａに第２の発光ダイオード１５が接続されて白色光を出射するものである。
【０１０６】
また、電流検出判定部２１Ａには、電界効果トランジスタＱ９および電界効果トランジスタＱ１０が設けられている。電界効果トランジスタＱ９は、補助電源部２０Ａの可変抵抗ＶＲ２，ＶＲ３の直列回路に並列接続され、電界効果トランジスタＱ１０は、定電流電源部２２Ａの抵抗Ｒ１ａ，Ｒ１ｂの直列回路に並列接続されている。
【０１０７】
リレー３１のリレーコイルと直列接続している電界効果トランジスタＱ８には、抵抗Ｒ３３，Ｒ３４の直列回路と、抵抗Ｒ３５、Ｒ３６の直列回路とが接続されている。そして、抵抗Ｒ３４の両端間が電界効果トランジスタＱ９のゲート、ソース間に接続され、抵抗Ｒ３６の両端間が電界効果トランジスタＱ１０のゲート、ソース間に接続されている。
【０１０８】
比較器ＣＰ６がＨｉｇｈ信号を出力し、電界効果トランジスタＱ８がオンすると、電界効果トランジスタＱ８により、抵抗Ｒ３３，Ｒ３４の直列回路の両端間および抵抗Ｒ３５、Ｒ３６の直列回路の両端間が短絡され、電界効果トランジスタＱ９および電界効果トランジスタＱ１０は、オフする。
【０１０９】
そして、比較器ＣＰ６がＬｏｗ信号を出力し、電界効果トランジスタＱ８がオフすると、補助電源部２０Ａの電解コンデンサＣ２の両端間にリレー３１のリレーコイルを介して抵抗Ｒ３３，Ｒ３４の直列回路と抵抗Ｒ３５、Ｒ３６の直列回路とが接続される。ここで、抵抗Ｒ３３〜Ｒ３６のそれぞれの抵抗値は、比較的高く設定している。これにより、リレー３１のリレーコイルに流れる電流は、非常に小さくなり、リレー３１は付勢しない。一方、抵抗Ｒ３４および抵抗Ｒ３６のそれぞれの両端間には、電圧駆動型の電界効果トランジスタＱ９および電界効果トランジスタＱ１０をオンさせる電圧が発生する。電界効果トランジスタＱ９および電界効果トランジスタＱ１０は、それぞれのゲート、ソース間に当該電圧が印加されてオンする。
【０１１０】
電界効果トランジスタＱ９のオンにより補助電源部２０Ａの可変抵抗ＶＲ２，ＶＲ３の直列回路の両端間が短絡され、可変抵抗ＶＲ１の両端間電圧が定電流電源部２２Ａの比較器ＣＰ２の非反転入力端子に入力する。また、電界効果トランジスタＱ１０のオンにより定電流電源部２２Ａの抵抗Ｒ１ａ，Ｒ１ｂの直列回路の両端間が短絡され、抵抗Ｒ１の両端間電圧が比較器ＣＰ２の反転入力端子に入力する。
【０１１１】
比較器ＣＰ２は、抵抗Ｒ１の両端間電圧が可変抵抗ＶＲ１の両端間電圧となるように電界効果トランジスタＱ２を制御する。これにより、第２の発光ダイオード１５は、３５０ｍＡの定電流が流れて、１００％光度（カンデラ）で点灯する。すなわち、地上型ＬＥＤ標識灯１Ａは、定電流電源（ＣＣＲ）２４から３．４Ａの出力電流が供給されると、第２の発光ダイオード１５が１００％光度で点灯し、白色光を出射するものである。
【０１１２】
上述したように、地上型ＬＥＤ標識灯１Ａの点灯回路４Ａに入力する定電流電源（ＣＣＲ）２４からの出力電流６．６Ａ、５．５Ａ、４．８Ａまたは３．４Ａに応じて、比較器ＣＰ６およびリレー３１などにより点灯回路４Ａに第１の発光ダイオード１０または第２の発光ダイオード１５が自動的に接続されるので、定電流電源（ＣＣＲ）２４からの出力電流の電流値を切り替えることにより、地上型ＬＥＤ標識灯１Ａから出射する青色光および白色光の光色の切り替えを迅速に行うことができる。
【産業上の利用可能性】
【０１１３】
地上型ＬＥＤ標識灯１，１Ａは、空港や飛行場の他、道路、公園、広場や建物など、適宜の場所に設置可能である。
【符号の説明】
【０１１４】
１，１Ａ…地上型ＬＥＤ標識灯
２…第１の光源ユニット
３…第２の光源ユニット
４，４Ａ…点灯回路
５…灯体
６…切り替え手段としての切替えスイッチ
７…透光性カバーとしての保護カバー
１０…第１の発光ダイオード
１１…透光性部材
１５…第２の発光ダイオード
２５…取付け部
３１…切り替え手段としてのリレー
ＣＰ６…切り替え手段としての比較器
【図１】
2010176943.tif 000003
【図２】
2010176943.tif 000004
【図３】
2010176943.tif 000005
【図４】
2010176943.tif 000006
【図５】
2010176943.tif 000007
【図６】
2010176943.tif 000008
【図７】
2010176943.tif 000009
【図８】
2010176943.tif 000010
【図９】
2010176943.tif 000011